(57)【要約】【課題】  画像エッジの補正処理を行う際、より自然な補正効果が得られるようにする。【解決手段】  原画像輝度信号入力部２１は画像の輝度信号Ｙを使用する。エッジ検出部２２は全てのエッジを検出する機能を持つ。検出したエッジが大きな低周波数エッジか否かの判断はエッジ判定部２３で実現する。これで選別した対象エッジにしかＴＩ処理を加えないので、補正処理の必要のないエッジに影響を与えない。エッジ中心移動部２４は、補正処理後も自然な画像となるエッジ中心を特定する。補正処理部２５は選別したエッジに対して、エッジ中心移動量に応じて明暗エリアに分けて補正を行なう。出力選択部２６は、ＴＩ処理すべきと判定されたエッジに対して補正処理部２５による補正信号をＥＥ処理部２７に出力して、それ以外の部分は原画像信号をそのままにＥＥ処理部２７に出力する。【選択図】  図１
2006033045.tif 000002
【特許請求の範囲】
【請求項１】
画像信号に対して、エッジ領域であるTransient Areaを検出するエッジ検出手段と、
検出したTransient AreaがＴＩ処理を行うべきエッジか否かを判定するエッジ判定手段と、
該エッジ判定手段が補正処理をすべきエッジと判定した場合にはＴＩ処理を行う補正処理手段とを備えたことを特徴とする画像エッジ補正装置。
【請求項２】
前記エッジ検出手段は、前記画像の輝度信号Ｙが入力された５タップのフィルタの出力Ｌの式（１）用い、エッジの中心点に近傍で、隣接する画素ｋと画素（ｋ＋１）の信号において、式（２）を満たすものをエッジと検出することを特徴とする請求項１に記載の画像エッジ補正装置。
Ｌ（ｉ）＝Ｙ（ｉ−２）＋Ｙ（ｉ−１）＋Ｙ（ｉ＋２）＋Ｙ（ｉ＋１）−４Ｙ（ｉ）  …  （１）、
Ｌ（ｋ）×Ｌ（ｋ＋１）≦０  …  （２）
【請求項３】
前記エッジ判定手段は、検出したエッジ幅が所定値より大きい場合に、前記式（２）を満たす２画素値の差の絶対値ｄ＝｜Ｙ（ｋ）−Ｙ（ｋ＋１）｜がＴＩ処理のエッジ範囲を示す最大閾値と最小閾値の間に存在する場合は、補正処理すべきエッジであると判定することを特徴とする請求項２に記載の画像エッジ補正装置。
【請求項４】
該エッジ判定手段が補正処理をすべきエッジと判定した場合、エッジ中心をＴＩ処理において自然な補正効果を得る位置に移動するエッジ中心移動手段を備えたことを特徴とする請求項１乃至３のいずれかに記載の画像エッジ補正装置。
【請求項５】
前記エッジ中心移動手段は、Transient Areaを暗いエリアと軽いエリアに分け、各エリアの幅がエッジ幅に対して所定の割合になるように明暗の境をエッジ中心に移動することを特徴とする請求項４に記載の画像エッジ補正装置。
【請求項６】
前記補正処理手段は、Transient Areaを明暗エリアに分けて、暗いエリアと明るいエリアに対して夫々異なるパラメータで補正処理を行なうことを特徴とする請求項１乃至５のいずれかに記載の画像エッジ補正装置。
【請求項７】
前記補正処理手段は、Transient Areaの両端から局所最大画素値にある水平線と局所最小画素値にある水平線を基準にして、画像信号との２つの角度変数と明暗の境目へのエッジ中心移動量を用いて補正することを特徴とする請求項６に記載の画像エッジ補正装置。
【請求項８】
前記補正処理手段は、明るいエリアの補正結果を暗いエリアの補正結果の最大値でクリップし、暗いエリアの補正結果を明るいエリアの最大値でクリップすることを特徴とする請求項７に記載の画像エッジ補正装置。
【請求項９】
前記補正処理手段は、暗いエリアに正数ゲインｇｄを、明るいエリアに正数ゲインｇｂを夫々設け、原画像輝度信号Ｙ、差分絶対値ｄ、補正後の画像輝度信号Ｙｚに対し次の式が成り立つように補正することを特徴とする請求項７に記載の画像エッジ補正装置。
Ｙｚ＝Ｙ−ｇｄ×ｄ、Ｙｚ＝Ｙ＋ｇｂ×ｄ
【請求項１０】
エッジ強調の補正処理は、ＴＩ処理後に行なうことを特徴とする請求項１乃至９のいずれかに記載の画像エッジ補正装置。
【請求項１１】
画像信号に対して、エッジ領域であるTransient Areaを検出し、
検出したTransient AreaがＴＩ処理を行うべきエッジか否かを判定し、
補正処理をすべきエッジと判定した場合にはＴＩ処理を行うことを特徴とする画像エッジ補正方法。
【請求項１２】
前記画像の輝度信号Ｙが入力された５タップのフィルタの出力Ｌの式（１）用い、エッジの中心点に近傍で、隣接する画素ｋと画素（ｋ＋１）の信号において、式（２）を満たすものをエッジと検出することを特徴とする請求項１１に記載の画像エッジ補正方法。
Ｌ（ｉ）＝Ｙ（ｉ−２）＋Ｙ（ｉ−１）＋Ｙ（ｉ＋２）＋Ｙ（ｉ＋１）−４Ｙ（ｉ）  …  （１）、
Ｌ（ｋ）×Ｌ（ｋ＋１）≦０  …  （２）
【請求項１３】
検出したエッジ幅が所定値より大きい場合に、前記式（２）を満たす２画素値の差の絶対値ｄ＝｜Ｙ（ｋ）−Ｙ（ｋ＋１）｜がＴＩ処理のエッジ範囲を示す最大閾値と最小閾値の間に存在する場合は、補正処理すべきエッジであると判定することを特徴とする請求項１２に記載の画像エッジ補正方法。
【請求項１４】
補正処理をすべきエッジと判定した場合、エッジ中心をＴＩ処理において自然な補正効果を得る位置に移動することを特徴とする請求項１１乃至１３のいずれかに記載の画像エッジ補正方法。
【請求項１５】
Transient Areaを暗いエリアと軽いエリアに分け、各エリアの幅がエッジ幅に対して所定の割合になるように明暗の境をエッジ中心に移動することを特徴とする請求項１４に記載の画像エッジ補正方法。
【請求項１６】
Transient Areaを明暗エリアに分けて、暗いエリアと明るいエリアに対して夫々異なるパラメータで補正処理を行なうことを特徴とする請求項１１乃至１５のいずれかに記載の画像エッジ補正方法。
【請求項１７】
Transient Areaの両端から局所最大画素値にある水平線と局所最小画素値にある水平線を基準にして、画像信号との２つの角度変数と明暗の境目へのエッジ中心移動量を用いて補正することを特徴とする請求項１６に記載の画像エッジ補正方法。
【請求項１８】
明るいエリアの補正結果を暗いエリアの補正結果の最大値でクリップし、暗いエリアの補正結果を明るいエリアの最大値でクリップすることを特徴とする請求項１７に記載の画像エッジ補正方法。
【請求項１９】
暗いエリアに正数ゲインｇｄを、明るいエリアに正数ゲインｇｂを夫々設け、原画像輝度信号Ｙ、差分絶対値ｄ、補正後の画像輝度信号Ｙｚに対し次の式が成り立つように補正することを特徴とする請求項７に記載の画像エッジ補正装置。
Ｙｚ＝Ｙ−ｇｄ×ｄ、Ｙｚ＝Ｙ＋ｇｂ×ｄ
【請求項２０】
エッジ強調の補正処理は、ＴＩ処理後に行なうことを特徴とする請求項１１乃至１９のいずれかに記載の画像エッジ補正方法。
【発明の詳細な説明】
【技術分野】
【０００１】
本発明は、テレビやカメラ等のディジタル画像に対して、画像のエッジ特性を改善する画像エッジ補正装置および画像エッジ補正方法に関するものである。
【背景技術】
【０００２】
テレビ信号に周波数帯域が制限されたり、画像の拡大縮小処理（電子ズーム）が行われたりすることでエッジがぼかされ、画像の先鋭性が失われる場合がある。画像の先鋭性を取り戻すために、２つの補正処理が存在する。
１つは大きな低周波数エッジの特性を改善する処理である。このようなエッジは十分広いエッジ領域であるTransient Areaを持ち、十分大きなコントラストのあるエッジである。この処理はＴＩ（Transient Improvement）処理と呼ぶ。もう１つの処理は画像の細部を表すエッジを含め全てのエッジ情報を強調する処理である。この処理はＥＥ（Edge Enhancement）処理と呼ぶ。ＴＩ処理はOver／Undershootを付けず、ＥＥ処理はOver／Undershootを付ける。
【０００３】
ＴＩ処理手法では、遅延手法を用いて注目画素の近隣で画素の最大値と最小値を検出して、注目画素に対して２次微分の値が正の時に最大値を出力し、２次微分の値が負の時に最小値を出力する。しかし、この処理は画像の細部を表すエッジに影響があるので、処理結果は不自然な画像になってしまう。
【０００４】
この問題点に対して後述する特許文献１は、次の解決策を示している。それは前述の出力を直接に使わずに原画像の値と重み付け平均を使う方法である。重み付け係数はＳＴ（Step Transient）という信号を使う。ＳＴは１次微分に相当する信号を作って、その絶対値を正規化したものである。前述の補正出力にＳＴを掛けて、原画像信号に（１−ＳＴ）を掛けて足し合わせて出力する。
【０００５】
ＥＥ処理手法は、Laplacianフィルタなどを用いて行なわれる。Laplacianフィルタの出力は前述のＴＩの処理結果に足し合わせて最終の補正結果として出力する。
【特許文献１】米国特許６０９４２０５号明細書
【発明の開示】
【発明が解決しようとする課題】
【０００６】
しかし、特許文献１の技術では、エッジの選択性が無いこと、エッジ中心の移動は出来ないこと、ＥＥの処理結果はＴＩの処理結果に対してズレが生じることの３つの問題点がある。
【０００７】
エッジの選択性が無いという点では次の問題が生じる。すなわち、特許文献１に開示した方法では、重み付け平均で画像の細分補正を抑えることができたが、エッジの選択性が無いので不用な補正処理を無くすことはできず、画像に不自然な補正効果が残ってしまう。
【０００８】
また、エッジ中心の移動はできないという点では次の問題が生じる。従来の技術では常にエッジの中心を境目として傾きを大きくしてエッジの特性を改善するのであるが、表示装置の特性に合わせるために、エッジの中心を移動する必要がある。例えばＣＲＴやＬＣＤの表示装置はTransient Area領域内で黒部分を広くし、白部分を狭くする要求があるため、エッジの中心を移動する必要が生じる。
【０００９】
また、ＥＥの処理結果はＴＩの処理結果に対してズレが生じるという点では次の問題が生じる。つまり、ＥＥの補正結果とＴＩの処理結果を足し合わせる時に、補正位置ずれが生じる。このため、ＴＩの補正結果に補正後エッジのTransient Areaは変ったので、ＥＥの結果をＴＩの補正結果に上乗せすると、不自然な画像になる。
【００１０】
例えば、図６にＥＥ処理におけるUndershoot／Overshootの位置をしめす。図６（ａ）はエッジのTransient Areaを示し、図６（ｂ）はＥＥの補正結果とＴＩの処理結果を足し合わせ結果を示す。このＴＩ結果に対してＥＥ処理を行なうと、図６（ａ）のTransient Areaの境界においてUndershoot／Overshootが行なわれ、ＴＩ処理後のTransient Areaとずれてしまっている。図６（ｃ）は、本来にUndershoot／Overshoot処理行なわれるべき適切な位置を示しているが、図６（ｂ）では、明らかに望ましくない位置にUndershoot／Overshoot処理が行われている。
【００１１】
本発明は、画像エッジの補正処理を行なう際、より自然な補正効果が得られる画像エッジ補正装置および画像エッジ補正方法を提供することにある。
【課題を解決するための手段】
【００１２】
本発明は、画像信号に対して、エッジ領域であるTransient Areaを検出するエッジ検出手段と、検出したTransient AreaがＴＩ処理を行なうべきエッジか否かを判定するエッジ判定手段と、該エッジ判定手段が補正処理をすべきエッジと判定した場合にはＴＩ処理を行なう補正処理手段とを備えたことを特徴とする画像エッジ補正装置である。
【００１３】
ここで、前記エッジ検出手段は、前記画像の輝度信号Ｙが入力された５タップのフィルタの出力Ｌの式（１）用い、エッジの中心点に近傍で、隣接する画素ｋと画素（ｋ＋１）の信号において、式（２）を満たすものをエッジと検出することを特徴とする。
Ｌ（ｉ）＝Ｙ（ｉ−２）＋Ｙ（ｉ−１）＋Ｙ（ｉ＋２）＋Ｙ（ｉ＋１）−４Ｙ（ｉ）  …  （１）、
Ｌ（ｋ）×Ｌ（ｋ＋１）≦０  …  （２）
【００１４】
また、前記エッジ判定手段は、検出したエッジ幅が所定値より大きい場合に、前記式（２）を満たす２画素値の差の絶対値ｄ＝｜Ｙ（ｋ）−Ｙ（ｋ＋１）｜がＴＩ処理のエッジ範囲を示す最大閾値と最小閾値の間に存在する場合は、補正処理すべきエッジであると判定することを特徴とする。
【００１５】
また、該エッジ判定手段が補正処理をすべきエッジと判定した場合、エッジ中心をＴＩ処理において自然な補正効果を得る位置に移動するエッジ中心移動手段を備えたことを特徴とする。
【００１６】
また、前記エッジ中心移動手段は、Transient Areaを暗いエリアと軽いエリアに分け、各エリアの幅がエッジ幅に対して所定の割合になるように明暗の境をエッジ中心に移動することを特徴とする。
【００１７】
前記補正処理手段は、Transient Areaを明暗エリアに分けて、暗いエリアと明るいエリアに対して夫々異なるパラメータで補正処理を行なうことを特徴とする。
【００１８】
また、前記補正処理手段は、Transient Areaの両端から局所最大画素値にある水平線と局所最小画素値にある水平線を基準にして、画像信号との２つの角度変数と明暗の境目へのエッジ中心移動量を用いて補正することを特徴とする。
【００１９】
また、前記補正処理手段は、明るいエリアの補正結果を暗いエリアの補正結果の最大値でクリップし、暗いエリアの補正結果を明るいエリアの最大値でクリップすることを特徴とする。
【００２０】
また、前記補正処理手段は、暗いエリアに正数ゲインｇｄを、明るいエリアに正数ゲインｇｂを夫々設け、原画像輝度信号Ｙ、差分絶対値ｄ、補正後の画像輝度信号Ｙｚに対し次の式が成り立つように補正することを特徴とする。
Ｙｚ＝Ｙ−ｇｄ×ｄ、Ｙｚ＝Ｙ＋ｇｂ×ｄ
【００２１】
また、エッジ強調の補正処理は、ＴＩ処理後に行なうことを特徴とする。
【００２２】
また本発明は、画像信号に対して、エッジ領域であるTransient Areaを検出し、検出したTransient AreaがＴＩ処理を行なうべきエッジか否かを判定し、補正処理をすべきエッジと判定した場合にはＴＩ処理を行なうことを特徴とする画像エッジ補正方法であり、上記の各手段が行なう処理と同様の処理を行なう画像エッジ補正方法である。
【発明の効果】
【００２３】
本発明によれば、ＴＩ処理対象エッジのみにＴＩ処理を行い、それ以外のエッジにはＴＩ処理を行わないので、対象外のエッジにはエッジの補正処理を避けることが可能になって、より自然な補正効果が得られる。
【００２４】
また、エッジ中心移動機能を有することにより、Transient Area内でエッジの中心を、ＣＲＴやＬＣＤの表示装置の特性に合わせてTransient Area内で明暗エリア幅に合わせて最適に調節することができる。また、ガンマ補正によるエッジ中心のズレを無くすことができる。さらに、パラメータを明暗エリアに分けて設定することができて、明暗に異なる強調効果を出すことができる。
【００２５】
また、ＥＥ処理はＴＩ処理の後で行なうことで、ＴＩ処理結果とＥＥ処理結果との間に位置ズレは生じない。
【発明を実施するための最良の形態】
【００２６】
以下、本発明の実施の形態を添付図面を参照して説明する。
図１は、本発明に係る画像エッジ補正装置を示すブロック図である。この装置は、原画像輝度信号入力部２１、エッジ検出部２２、エッジ判定部２３、エッジ中心移動部２４、補正処理部２５、出力選択部２６、ＥＥ処理部２７、補正画像輝度信号出力部２８から構成される。
【００２７】
次に、この画像エッジ補正装置の動作の概略を説明する。
入力画像信号の形式は、画像のＲＧＢ信号やＹＵＶ信号などがあるが、原画像輝度信号入力部２１は画像の輝度信号Ｙを使用する。エッジ検出部２２は全てのエッジを検出する機能を持つ。検出したエッジが大きな低周波数エッジか否かの判断はエッジ判定部２３で実現する。これで選別した対象エッジにしかＴＩ処理を加えないので、補正処理の必要のないエッジに影響を与えない。エッジの選別はエッジの傾きやエッジの幅を見て行なう。
【００２８】
エッジ中心移動部２４は、補正処理後も自然な画像となるエッジ中心を特定する。補正処理部２５は選別したエッジに対して、エッジ中心移動量に応じて明暗エリアに分けて補正を行なう。画質に応じて補正信号は２つの異なる方法で生成する。ＨＤＴＶのような元々ノイズの少ない画像には近隣画素の最大値と最小値を使って補正する。ＳＴＤＴＶのようなノイズの多い画像には差分信号を使って補正する。
【００２９】
出力選択部２６はエッジ検出部２２とエッジ判定部２３の結果によって出力選択を行なう。すなわち、出力選択部２６は、ＴＩ処理すべきと判定されたエッジに対して補正処理部２５による補正信号をＥＥ処理部２７に出力して、それ以外の部分は原画像信号をそのままにＥＥ処理部２７に出力する。ＥＥ処理部２７は、従来のように、単にＥＥの補正結果とＴＩの処理結果を足し合わせるのではなく、ＴＩの処理結果に対して行なうので、ＴＩ補正とＥＥ補正との位置ずれを解消する。補正画像輝度信号出力部２８はクリッピングなどの処理を行なって最終補正結果を出力する。
【００３０】
次に、各部の動作について詳細に説明する。
まず、エッジの検出部２２は、エッジの検出を次式（１）の５タップのフィルタを使って実現する。ここで、Ｌはフィルタの出力信号、Ｙは原画像の輝度信号である。
Ｌ（ｉ）＝Ｙ（ｉ−２）＋Ｙ（ｉ−１）＋Ｙ（ｉ＋２）＋Ｙ（ｉ＋１）−４Ｙ（ｉ）  …  （１）
【００３１】
図２に画像信号に対するエッジ検出とエッジ判定の説明図を示す。
図２（ａ）の原画像信号のエッジに対して、図２（ｂ）は式（１）によるフィルタ出力である。エッジの中心点の近傍で、隣接する画素ｋと画素（ｋ＋１）の信号において、式（１）の出力が、式（２）の性質を持つものがある。
Ｌ（ｋ）×Ｌ（ｋ＋１）≦０  …  （２）
【００３２】
エッジ検出部２２は、この性質を用いてエッジを検出する。画素ｋと画素（ｋ＋１）の信号において、式（２）が成立するならエッジ判定部２３へ画像信号を送る。そして、検出したエッジが本物のエッジか否か、大きな低周波数エッジか否かをエッジ判定部２３で判断を行なう。式（２）は成立しない場合には、出力選択部２６へエッジで無いことを出力する。
【００３３】
エッジ判定部２３において、図２に示すように、検出したエッジの中心から局所最大値Ｍａｘと局所最小値Ｍｉｎまでに両側へ捜索し、エッジの幅ｗを求める。ハードウエアの実現でタップ数に制限がある場合は最大幅をタップ数にする。そして次式（３）を満たすか否かを判定する。ここで、Ｗｍｉｎは予め決めたエッジ幅の閾値である。
ｗ≧Ｗｍｉｎ  …  （３）
【００３４】
式（３）を満たすなら、エッジ判定処理を続ける。そうでなければ、検出したエッジＴＩに適切なエッジでないので、出力選択部２６へＴＩ処理を行なわない信号を出力する。
式（１）の出力符号が変った所における２画素値の差の絶対値｜Ｙ（ｋ）−Ｙ（ｋ＋１）｜をエッジの傾きｄと記す。エッジ判定部２３は次式（４）を満たすか否かを判別する。ここで、ＤｍｉｎとＤｍａｘはＴＩ処理のエッジ範囲を示す閾値で、予め設定する。
Ｄｍｉｎ≦ｄ≦Ｄｍａｘ  …  （４）
【００３５】
低周波エッジであるということは、ｄがＤｍａｘより小さいことを意味し、Ｄｍａｘより大きければ、もともとＴＩがよいので補正処理を行う必要がない。したがって、Ｄｍａｘは、低周波数の上限値であるとも言える。また、ｄがＤｍｉｎより小さければ、これはエッジではないことを意味する。
従って、式（４）を満たすなら、ＴＩ処理に適切なエッジであるので、エッジ中心移動部２４にて処理を行う。そうでなければ、検出したエッジは、ＴＩ処理に適切なエッジではないので、出力選択部２６へＴＩ処理に適切でないエッジであることを出力する。
【００３６】
エッジ中心移動部２４において、エッジの暗い側の端を基準として、暗いエリアを占める部分をパーセンテージｐで表す。エッジのtransient areaを２つに分けて、暗いエリアの幅をｗｄ、明るいエリアの幅をｗｂと記す。ｗｄとｗｂは次式（５ａ）（５ｂ）で計算する。
ｗｄ＝ｗ×ｐ  …  （５ａ）
ｗｂ＝ｗ−ｗｄ  …  （５ｂ）
こうしてエッジ中心移動部２４は、明暗エリアの境目をエッジ中心とする。
【００３７】
補正処理部２５において、画像種類や画質に応じて２つの異なる方法で補正処理を行なう。ノイズの少ない高画質画像（例えばＨＤＴＶ画像）に対する方法は図３に示す。太い実線は原画像信号である。点線は補正後の画像信号を示す。
【００３８】
エッジ中心移動部で決めたｗｄとｗｂを用いて、明暗エリアの境目を決める。エッジ判定部で求めた局所最小値Ｍｉｎと局所最大値Ｍａｘにある２本の水平線に対して、２つの角度を変数ａｄとａｂと記す（図３参照）。補正処理は角度変数ａｄ、ａｂとエッジ移動量で行なう。補正効果は図３にある点線で示す。
【００３９】
図３に示すように、水平線と角度ａｄ、ａｂをなす補正後の画像信号が明暗エリアの境目と交わる点と、前記水平線からの距離をｈｄとｈｂとすると、ｈｄとｈｂは式（６）で算出できる。ここで、ｉはｄまたはｂである。
ｈｉ＝ｔｇ（ａｉ）×ｗｉ×（Ｍａｘ−Ｍｉｎ）／ｗ  …  （６）
【００４０】
この補正処理を行うと補正結果にリンギングが生じる場合があるので、リンギングを無くす処理が必要となることもある。図４のパラメータで補正を行なうと、リンギング効果（細い破線部分）が出る。明るいエリアの補正結果を暗いエリアの補正の最大値でクリップすれば、このリンギングを無くすことができる。クリップ後の補正結果は太い点線で示す。同様に暗いエリアの補正結果を明るいエリアの補正の最小値でクリップする必要がある（図略）。
【００４１】
この様な補正は折り線で実現するために、不自然なところがある。補正効果を自然にするため、原画像信号とのブレンド処理をする。明暗エリアに分けてブレンド係数を設ける。暗エリアの係数をｋｄと記し、明エリアの係数をｋｂと記す。ｋｄとｋｂは０と１の間にある値である。ここで、ｉはｄまたはｂであり、Ｙは原画像の輝度信号で、Ｙｃは図４に折り線で示す補正信号である。Ｙｓは平滑化した補正信号である。
Ｙｓ＝（１−ｋｉ）×Ｙ＋ｋｉ×Ｙｃ  …  （７）
【００４２】
ノイズのある画像（例えばＳＤＴＶ画像）に対する方法は図５に示す。図５（ａ）にある太い実線は原画像信号で、点線は補正結果である。
補正方法としては先ずtransient area内で原画像輝度信号Ｙの差分絶対値ｄ（図５（ｂ）参照）を求める。暗いエリアにゲインｇｄを、明るいエリアにゲインｇｂを夫々設ける。ｇｄとｇｂは正数である。補正は次式（８ａ）（８ｂ）で行なう。
Ｙｚ＝Ｙ−ｇｄ×Ｄ  …  （８ａ）
Ｙｚ＝Ｙ＋ｇｂ×Ｄ  …  （８ｂ）
【００４３】
ここで、式（８ａ）は暗いエリア補正用式で、式（８ｂ）は明るいエリア用補正式である。Ｙは原画像信号で、Ｙｚは補正結果である。Ｄは図５（ｂ）に示されている差分値である。
【００４４】
ゲインｇｄやｇｂを大きくすると、undershootまたはovershootが起こることがある。Under／Overshootを無くすために、ＭｉｎとＭａｘを使ってクリップ処理を行なう。クリップ処理した結果はＹｘと記す。
【００４５】
出力選択部２６において、エッジ検出部２２とエッジ判定部２３からＴＩ処理を行なわない信号があれば、原画像信号をＥＥ処理部２７へ出力する。そうでなければ、補正結果Ｙｓ又はＹｘをＥＥ処理部２７へ出力する。
【００４６】
ＥＥ処理部２７において、ＴＩ処理は大きな低周波数エッジだけに対して、エッジ中心移動とtransient areaの改善を行なった。画像細部を表すエッジには勿論のことで、ＴＩ処理で改善したエッジにもＥＥ処理によるエッジ強調が必要である。ＥＥ処理は従来のLaplacianフィルタやピンキングフィルタを使うが、ＥＥ強調処理をＴＩの後においてあるので、ＴＩ処理結果とＥＥ処理結果との間にズレが生じない。
補正画像輝度信号出力部２８において、ＥＥ処理部２７の結果に範囲の超える値があるので、それらの値をクリップ処理した上に出力する。
【００４７】
本実施形態は、画像エッジ補正装置として記載したが、コンピュータをこの装置の各部として機能させるプログラムによって、コンピュータを動作させて処理することもできる。当然、このプログラムを記録した記録媒体からプログラムを読み出しても処理可能である。
【図面の簡単な説明】
【００４８】
【図１】本発明に係る画像エッジ補正装置を示すブロック図である。
【図２】画像信号に対するエッジ検出とエッジ判定を示す説明図である。
【図３】ノイズの少ない高画質画像に対するＴＩ処理を示す説明図である。
【図４】図３の処理においてリンギング防止を示す説明図である。
【図５】ノイズのある画像に対するＴＩ処理を示す説明図である。
【図６】ＥＥ処理におけるUndershoot／Overshootの位置を示す説明図である。
【符号の説明】
【００４９】
２１  原画像輝度信号入力部
２２  エッジ検出部
２３  エッジ判定部
２４  エッジ中心移動部
２５  補正処理部
２６  出力選択部
２７  ＥＥ処理部
２８  補正画像輝度信号出力部
【図１】
2006033045.tif 000003
【図２】
2006033045.tif 000004
【図３】
2006033045.tif 000005
【図４】
2006033045.tif 000006
【図５】
2006033045.tif 000007
【図６】
2006033045.tif 000008